(57)【要約】      （修正有）【課題】屋根葺き面に可撓性の可能な太陽光発電シートを配置し、これを天候の変化に応じて該シートの発電稼働面の露出面と隔離面の可変を自在にして強風や積雪からの損傷を防止し、更には適切な発電力の安定確保を可能にしたソーラールーフを提供する。【解決手段】屋根葺き面１００に可撓性の太陽光発電シート２００を配置し、太陽光発電シートを巻き取り収納する巻取収納装置３００を屋根葺き面に設けたソーラールーフであり、巻取収納装置は、屋根葺き面に設けたハウジング３１１内で太陽光発電シートを回転ドラム３１２に巻き取り巻き戻しする回転駆動ドラム装置３１０と、回転駆動ドラム装置と連動して太陽光発電シートを牽引巻取り巻戻しする牽引機構３２０とからなる。【選択図】図１
0003234421.tif 000002
【実用新案登録請求の範囲】
【請求項１】
屋根葺き面に可撓性の太陽光発電シートを配置し、前記太陽光発電シートを巻き取り収納する巻取収納装置を前記屋根葺き面に設けたことを特徴とするソーラールーフ。
【請求項２】
前記巻取収納装置は、前記屋根葺き面に設けたハウジング内で前記太陽光発電シートを回転ドラムに巻き取り巻き戻しする回転駆動ドラム装置と、前記回転駆動ドラム装置と連動して前記太陽光発電シートを牽引巻取り巻戻しする牽引機構とからなることを特徴とする請求項１に記載のソーラールーフ。
【考案の詳細な説明】
【技術分野】
【０００１】  本考案は、屋根葺き面に可撓性の可能な太陽光発電シートを配置し、これを天候の変化に応じて該シートの発電稼働面を露出・隔離可能にしたソーラールーフに関する。
【背景技術】
【０００２】  太陽光発電モジュール等の太陽発電素子を利用した発電装置は無公害・無尽蔵の太陽光資源を利用した電気エネルギー供給装置として注目され、種々の研究が進められている。太陽光発電装置の設置のメリットについては売電による収入や電気代の削減、また災害時の対策などが挙げられる。
太陽光発電装置に採用される太陽光発電モジュールは、従来の固形のものからミリ単位の薄シート状あるいはフイルム状のものが実用化されている。【０００３】  従来の太陽光発電装置は住宅の屋根やビルの屋上、壁などに太陽光発電モジュールを固定し、照射された太陽光エネルギーを電気エネルギーに変換している。
従って、太陽光発電モジュールを移動させたり、受光向きを変えたりすることができないため、日中の太陽光受光時間が限られ、太陽光を効率的に利用できない。また、装置が大型で小回りがきかない、といった制約もある。【０００４】  また反対に実際の発電量が必要発電量（消費発電量）を大きく上回ることがある。この場合には、使われなかった電力が無駄になるばかりでなく、太陽光発電モジュールの設置枚数が多過ぎることになって製造コストが高くなる。
一方屋根用とは利用箇所や目的が異なるが、窓のブラインドや日除けシートとして利用ができる太陽光発電装置も特許文献１で紹介されている。
【先行技術文献】
【特許文献】
【０００５】
【特許文献１】特開２００６−８６２０３号公報
【考案の開示】
【考案が解決しようとする課題】
【０００６】  本考案は、屋根葺き面に可撓性のある太陽光発電シートを配置し、これを天候の変化に応じて該シートの発電稼働面の露出面と隔離面の可変を自在にして強風や積雪からの損傷を防止し、更には適切な発電力の安定確保を可能にしたソーラールーフを提供する。【０００７】  上記課題を満足させる本考案における主な技術構成は、次の（１）〜（２）に記載の通りである。
（１）、屋根葺き面に可撓性の太陽光発電シートを配置し、前記太陽光発電シートを巻き取り収納する巻取収納装置を前記屋根葺き面に設けたことを特徴とするソーラールーフ。
（２）、前記巻取収納装置は、前記屋根葺き面に設けたハウジング内で前記太陽光発電シートを回転ドラムに巻き取り巻き戻しする回転駆動ドラム装置と、前記回転駆動ドラム装置と連動して前記太陽光発電シートを弛緩巻取り牽引巻戻しする牽引機構とからなることを特徴とする前記（１）に記載のソーラールーフ。
【考案の効果】
【０００８】  本考案の前記ソーラールーフの太陽光発電シートは、電気的に接続された多数の薄膜の太陽発電モジュールを配設して巻き取り巻き戻し可能な太陽光発電シートであり、この太陽光発電シートを前記巻取収納装置の回転駆動ドラム装置と牽引機構により巻取り巻戻し可能に前記ハウジング内に収納する。巻取収納装置から引き出した太陽発電モジュールに照射される太陽光から電気エネルギーが生成させるようにし、得られた電気エネルギーは電気制御装置により電力として供給するのである。【０００９】  これにより本考案のソーラールーフは、屋根葺き面に可撓性の可能な太陽光発電シートを配置し、これを天候の変化に応じて該シートの発電稼働面の露出面と隔離面の可変を自在にして強風や積雪からの損傷を防止し、更には適切な発電力の安定確保を可能にした優れた作用効果を呈する。
【図面の簡単な説明】
【００１０】
【図１】本考案の実施例を示す一部透視の鳥瞰図である。
【考案を実施するための形態】
【００１１】本考案を実施するための形態を図１に示す実施例により詳細に説明する。
【実施例】
【００１２】  本例のソーラールーフは、粘土瓦、セメント・コンクリート瓦、化粧スレート、天然スレート、トタン、ガルバリウム鋼板、銅板、アスファルトシングル等で葺いた屋根葺き面１００に可撓性のある太陽光発電シート２００を配置する。【００１３】  前記太陽光発電シート２００は、巻取収納装置３００により巻き取り収納と巻戻し展開をする。前記太陽光発電シート２００の仕様は例えば株式会社次世代商品開発研究所で開発された薄型可撓性の「アモルファスシリコンソーラーセル型式：ＳＡ１００１」、「ＧＳソーラーセル型式：ＣＩＧＳ１００１」（ＣＩＧＳとは銅（ＣＵ）、インジウム（Ｉ）、ガリウム（Ｇ）、セレン（Ｓ）の略語）、等が好ましい。
前記巻取収納装置３００は、前記屋根葺き面の上端縁部に設けた回転駆動ドラム装置３１０と前記屋根葺き面１００の下端縁部に設けた牽引機構３２０とから構成してある。【００１４】  回転駆動ドラム装置３１０は、前記太陽光発電シート２００の上端縁部に接続した先導布２０２を介してハウジング３１１内の偏向ロール３１４を経て回転ドラム３１２に連結して駆動モーター３１３による回転ドラム３１２の回転操作でシート２００の巻き取り巻き戻しを行う。
変形例として回転ドラム３１２内に、前記駆動モーター３１３に代えてコイルバネを設けてシートを引き出したときにそのコイルバネを弾性変形させてその弾性力を利用して巻き取るようにしても良い。【００１５】  前記牽引機構３２０は、前記太陽光発電シート２００の下端縁部の支持フレーム２０１に牽引ワイヤー３２１を介して駆動モーター３２２付きの回転駆動ドラム３２３に連結し、回転駆動ドラム３２３の駆動モーター３２２を回転駆動ドラム装置３１０の駆動モーター３１３と同期連動して制御し回転駆動ドラム装置３１０のシート巻取り巻戻し操作を補助する。【００１６】  本例ソーラールーフは、前記屋根葺き面１００に配置した前記太陽光発電シート２００を、前記巻取収納装置３００によって日照状態に応じて或いは強風や積雪等の天候の変化に応じて該シートの発電稼働面の露出面程度と隔離面程度を可変自在にして適切な発電力の安定確保の調節とシートの損傷を防止し可能にした等の優れた効果が得られる。【００１７】  本例のソーラールーフの発電システムにおいて、２２０は前記太陽光発電シート２００の全太陽電池モジュール２０９で生み出された直流の電気を回転ドラム３１２に設けた集電受電連結端子２１０を介して集電する集電機である。２３０は、前記太陽光発電シート２００の太陽電池モジュールで生み出された直流の電気を交流へと変換し家庭用電気として家庭内の電化製品に利用する「パワーコンディショナ」である。
２４０は家庭のコンセントまで適切に電気を割り振りし電気を届けるとともに余った電気は自動で送電線２５０を介して電力会社に売電する「分電盤」である。
（売電とは、特に太陽が出ている日中に発電量が家庭の電気使用量を上回ることで生まれた余剰分の電気を電力会社に売る仕組み。）
【産業上の利用可能性】
【００１７】  本考案は前述の優れた作用効果を呈するため、一般家庭は勿論、太陽エネルギー発電業界等に寄与と発展に貢献すること多大なものがある。
【符号の説明】
【００１８】１００：屋根葺き面
２００：太陽光発電シート
２０１：支持フレーム
３００：巻取収納装置
３１０：回転駆動ドラム装置
３１１：ハウジング
３１２：回転ドラム
３１３：駆動モーター
３１４：偏向ロール
３２０：牽引機構
３２０：牽引機構
３２１：牽引ワイヤー
３２２：駆動モーター
３２３：回転駆動ドラム
【図１】
0003234421.tif 000003